(57)【要約】  【課題】体感器等の不正器具の使用の発見を、殆どのホールで使用できるパチンコ・パチスロ用不正電波探知方法及びパチンコ・パチスロ用不正電波探知装置を提供すること。  【解決手段】パチンコ又は及びパチスロホールの開店前にホール内の電源をパチンコ又は及びパチスロの電源を含めて投入した環境で、ホール内から不正遊技者が保持する器具から出力されると予想した特定の周波数範囲に含まれる電波を検出してその信号レベルを第１信号レベルとして記憶し、ホール開店後に客が入った環境で、ホール内から前記特定の周波数範囲に含まれる電波を検出してその信号レベルを第２信号レベルとして記憶し、第２信号レベルから第１信号レべルを減算した値が所定値以上であると警報を出力する。【選択図】    図２
2006095141.tif 000002
【特許請求の範囲】
【請求項１】
パチンコ又は及びパチスロを備えるホールにおいて、
ホールの開店前にホール内の電源をパチンコ又は及びパチスロの電源を含めて投入した環境で、ホール内から不正遊技者が保持する器具から出力されると予想した特定の周波数範囲に含まれる電波を検出してその信号レベルを第１信号レベルとして記憶し、
次に、ホール開店後に客が入った環境で、ホール内から前記特定の周波数範囲に含まれる電波を検出してその信号レベルを第２信号レベルとして記憶し、
第２信号レベルから第１信号レべルを減算した値が所定値以上であると警報を出力するようにしたことにより、不正遊技者が保持する器具から出力される不正電波を探知することを特徴とするパチンコ・パチスロ用不正電波探知方法。
【請求項２】
パチンコ又は及びパチスロを備えるホールにおいて、
第１モードと第２モードの切替えが可能なモード切替部と、電波を捕らえることが可能な受信部と、該受信部が捕らえた電波の中から、特定の周波数範囲に含まれる電波を選出する検波部と、該検波部が選出した電波の信号レべルを検出するレべル検出部と、該レべル検出部が検出した信号レべルを格納する記憶部と、音声出力部又は及び表示出力部からなる出力部と、前記第１モードの時に前記記憶部に格納された第１信号レベルと、第２モードの時に前記記憶部に格納された第２信号レベルとを比較し、第２信号レベルから第１信号レべルを減算した値が所定値以上であると、前記出力部を介して警報を出力する制御部と、を備える携帯用の探知装置を使用した探知方法であって、
前記特定の周波数範囲を不正遊技者が保持する器具から出力されると予想したものに設定した後、ホールの開店前にホール内の電源をパチンコ又は及びパチスロの電源を含めて投入した環境で、前記探知装置の前記モード切替部を第１モードに切替えて電波の検出を行い、その後、ホール開店後に客が入った環境で、前記探知装置の前記モード切替部を第１モードから第２モードに切替え、前記探知装置の前記出力部から警報を出力するようにしたことにより、不正遊技者が保持する器具から出力される不正電波を探知することを特徴とするパチンコ・パチスロ用不正電波探知方法。
【請求項３】
パチンコ又は及びパチスロを備えるホールで使用され、不正遊技者が保持する器具から出力される不正電波を探知するための携帯用の不正電波探知装置であって、
ホールの開店前にホール内の電源をパチンコ又は及びパチスロの電源を含めて投入した環境を示す第１モードと、ホール開店後に客が入った環境を示す第２モードとの切替えを行うことが可能なモード切替部と、
ホール内で電波を捕らえることが可能な受信部と、
該受信部が捕らえた電波の中から、不正遊技者が保持する器具から出力されると予想した特定の周波数範囲に含まれる電波を選出する検波部と、
該検波部が選出した電波の信号レべルを検出するレべル検出部と、
該レべル検出部が検出した信号レべルを格納する記憶部と、
音声出力部又は及び表示出力部からなる出力部と、
前記第１モード時に前記記憶部に格納された第１信号レベルと、第２モード時に前記記憶部に格納された第２信号レベルとを比較し、第２信号レベルから第１信号レべルを減算した値が所定値以上であると、前記出力部を介して警報を出力する制御部と、を備えることを特徴とするパチンコ・パチスロ用不正電波探知装置。
【請求項４】
前記第１信号レベル，第２信号レベルは、それぞれ検出された信号レベルの最大値であることを特徴とする請求項１乃至３のうちいずれか一つに記載のパチンコ・パチスロ用不正電波探知方法及びパチンコ・パチスロ用不正電波探知装置。
【請求項５】
前記不正遊技者が保持する器具から出力されると予想した特定の周波数範囲を複数設定し、前記所定値以上になったものがどの特定の周波数範囲にあるものかを特定した警報を出力するようにしたことを特徴とする請求項１乃至４のうちいずれか一つに記載のパチンコ・パチスロ用不正電波探知方法及びパチンコ・パチスロ用不正電波探知装置。
【請求項６】
前記警報の出力を、前記所定値以上の度合いに応じて変化させたことを特徴とする請求項１乃至５のうちいずれか一つに記載のパチンコ・パチスロ用不正電波探知方法及びパチンコ・パチスロ用不正電波探知装置。
【発明の詳細な説明】
【技術分野】
【０００１】
本発明は、パチンコ・パチスロ用不正電波探知方法及びパチンコ・パチスロ用不正電波探知装置に関する。より詳細には、不正遊技者（いわゆるゴト師）が出力する不正電波を探知して、不正遊技を未然に防止する方法及び装置に関するものである。
【背景技術】
【０００２】
従来、パチンコ又はパチスロ、あるいはその両方を備えるホール（パチンコ遊技場，パチスロ遊技場）においては、不正遊技者（いわゆるゴト師）による不正遊技が日夜繰り返され、この不正遊技を防止することが図られている。
種々の不正遊技のうち、不正遊技者が体感器等の不正器具（いわゆるゴト器具）を保持し、不正器具から一定のリズムで出力される信号を利用することによって、パチンコ又はパチスロにおいて大当りを通常の確率以上の確率で誘発する方法が知られている。つまり、パチンコ又はパチスロは、通常、大当りとハズレがセットされたカウンタを一定の周期で回し、パチンコであれば小球の入賞，パチスロであればスタートレバーのオン時がカウンタのどの位置に対応したかによって大当りかあるいはハズレであるかを抽選するようになっているので、不正器具から出力される信号のリズムをカウンタのリズムに同期させ、大当りとなるカウンタの位置を検知し、その位置付近で、パチンコでは集中して小球を打つようにしたり、あるいはパチスロではスタートレバーをオンするようにすれば、通常の確率以上の確率で大当りを出すことができる。
【０００３】
このような不正器具としては、例えば、大当りとなるカウンタの位置を低周波によって不正遊技者に直接伝え、不正遊技者が自らそのリズムに従ってパチンコの打ち出しを行ったりあるいはパチスロのスタートレバーをオンするといった低周波式体感器や、パチスロのスタートレバーにワイヤーを係止させ、そのワイヤを大当りとなるカウンタの位置で引くといったソレノイド式体感器や、あるいは、パチスロの下皿，スタートレバー回り，ベットボタン回りに発光するセンサーを突っ込み、センサーを大当りとなるカウンタの位置で発光、あるいは赤外線を放射させ、スタートレバーのオンと同等の機能を与えるといった赤外線・フラッシュ式体感器等が存在する。
【０００４】
そして、このような体感器等の不正器具の使用は、営業時に店員の目を盗んで行われるので、ホール側がその事実を発見するのは困難であり、不正な大当りによる被害が多くボール側は大きな損失を被っていた。
【発明の開示】
【発明が解決しようとする課題】
【０００５】
そこで、本発明者は体感器等の不正器具の使用を発見するために、不正器具から個有の周波数の電波が発生することに注目した。
しかし、ホール内には各ホール特有の電波が発生しているので、不正器具から発生した電波かあるいは不正器具からではなくホール内で正常に発生した電波か識別することが困難な場合があり問題があった。
【０００６】
そこで、本発明の目的とするところは、体感器等の不正器具の使用の発見を、殆どのホールで使用できるパチンコ・パチスロ用不正電波探知方法及びパチンコ・パチスロ用不正電波探知装置を提供することにある。
【課題を解決するための手段】
【０００７】
上記の目的を達成するために、本発明の方法は、パチンコ又は及びパチスロを備えるホールにおいて、ホールの開店前にホール内の電源をパチンコ又は及びパチスロの電源を含めて投入した環境で、ホール内から不正遊技者が保持する器具から出力されると予想した特定の周波数範囲に含まれる電波を検出してその信号レベルを第１信号レベルとして記憶し、次に、ホール開店後に客が入った環境で、ホール内から前記特定の周波数範囲に含まれる電波を検出してその信号レベルを第２信号レベルとして記憶し、第２信号レベルから第１信号レべルを減算した値が所定値以上であると警報を出力するようにしたことにより、不正遊技者が保持する器具から出力される不正電波を探知することを特徴とする。
【０００８】
また、本発明の方法は、パチンコ又は及びパチスロを備えるホールにおいて、第１モードと第２モードの切替えが可能なモード切替部と、電波を捕らえることが可能な受信部と、該受信部が捕らえた電波の中から、特定の周波数範囲に含まれる電波を選出する検波部と、該検波部が選出した電波の信号レべルを検出するレべル検出部と、該レべル検出部が検出した信号レべルを格納する記憶部と、音声出力部又は及び表示出力部からなる出力部と、前記第１モードの時に前記記憶部に格納された第１信号レベルと、第２モードの時に前記記憶部に格納された第２信号レベルとを比較し、第２信号レベルから第１信号レべルを減算した値が所定値以上であると、前記出力部を介して警報を出力する制御部と、を備える携帯用の探知装置を使用した探知方法であって、前記特定の周波数範囲を不正遊技者が保持する器具から出力されると予想したものに設定した後、ホールの開店前にホール内の電源をパチンコ又は及びパチスロの電源を含めて投入した環境で、前記探知装置の前記モード切替部を第１モードに切替えて電波の検出を行い、その後、ホール開店後に客が入った環境で、前記探知装置の前記モード切替部を第１モードから第２モードに切替え、前記探知装置の前記出力部から警報を出力するようにしたことにより、不正遊技者が保持する器具から出力される不正電波を探知することを特徴とする。
【０００９】
さらに、本発明の装置は、パチンコ又は及びパチスロを備えるホールで使用され、不正遊技者が保持する器具から出力される不正電波を探知するための携帯用の不正電波探知装置であって、ホールの開店前にホール内の電源をパチンコ又は及びパチスロの電源を含めて投入した環境を示す第１モードと、ホール開店後に客が入った環境を示す第２モードとの切替えを行うことが可能なモード切替部と、ホール内で電波を捕らえることが可能な受信部と、該受信部が捕らえた電波の中から、不正遊技者が保持する器具から出力されると予想した特定の周波数範囲に含まれる電波を選出する検波部と、該検波部が選出した電波の信号レべルを検出するレべル検出部と、該レべル検出部が検出した信号レべルを格納する記憶部と、音声出力部又は及び表示出力部からなる出力部と、前記第１モード時に前記記憶部に格納された第１信号レベルと、第２モード時に前記記憶部に格納された第２信号レベルとを比較し、第２信号レベルから第１信号レべルを減算した値が所定値以上であると、前記出力部を介して警報を出力する制御部と、を備えることを特徴とする。
【００１０】
また、本発明は、前記第１信号レベル，第２信号レベルは、それぞれ検出された信号レベルの最大値であることを特徴とする。
さらにまた、本発明は、前記不正遊技者が保持する器具から出力されると予想した特定の周波数範囲を複数設定し、前記所定値以上になったものがどの特定の周波数範囲にあるものかを特定した警報を出力するようにしたことを特徴とする。
また、本発明は、前記警報の出力を、前記所定値以上の度合いに応じて変化させたことを特徴とする。
【発明の効果】
【００１１】
本発明は、ホール内から不正遊技者が保持する器具から出力されると予想した特定の周波数範囲に含まれる電波を検出するだけでは、その電波が不正遊技者が保持する器具から出力されたものか、あるいは、その特定の周波数範囲に含まれる電波がホール内で通常出力される電波であるか識別することができないといった問題を解消するために、客のいないホールの開店前にホール内の電源をパチンコ又は及びパチスロの電源を含めて投入した環境で、ホール内から不正遊技者が保持する器具から出力されると予想した特定の周波数範囲に含まれる電波を予め検出してそのレベルを測定して第１信号レベルとし、その第１信号レベルを、ホール開店後に客が入った環境で、ホール内から前記特定の周波数範囲に含まれる電波を検出してそのレベルを測定して第２信号レベルとしたものから減算し、その減算値が所定値以上であると警報を出力し、不正電波を探知するようにした。
【００１２】
このように、客のいないホールの開店前にホール内の電源をパチンコ又は及びパチスロの電源を含めて投入した環境で、ホール内から不正遊技者が保持する器具から出力されると予想した特定の周波数範囲に含まれる電波を予め検出してその第１信号レベルをホール個有のノイズととらえ、ホール開店後に測定した第２信号レベルから減算するので、不正遊技者が保持する器具から出力される電波だけを抽出することができる。
よって、体感器等の不正器具の使用の発見を精度高く行うことができる。
特に、第１信号レベルは、一律ではなく各ホール毎に様々で、特有の値であるため、これを第２信号レベルから減算することによって、殆どのホールで体感器等の不正器具の使用を確実に発見することができる。
【００１３】
また本発明によれば、不正遊技者が保持する器具から出力されると予想した特定の周波数範囲を複数設定することができるので、周波数範囲の異なるタイプの複数の体感器等の不正器具の使用を同時に発見することができる。
さらに本発明によれば、警報の出力を、前記所定値以上の度合いに応じて変化させることができるので、不正遊技者との具体的を距離についても容易に把握することができる。
【発明を実施するための最良の形態】
【００１４】
図面を参照して、本発明の実施形態に係るパチンコ・パチスロ用不正電波探知装置及びパチンコ・パチスロ用不正電波探知方法について説明する。図１は、本発明の実施形態に係るパチンコ・パチスロ用不正電波探知装置を示す外観斜視図であり、図２は、本発明の実施形態に係るパチンコ・パチスロ用不正電波探知装置の電気的構成概要を示すブロック図である。
【００１５】
本発明の実施形態に係るパチンコ・パチスロ用不正電波探知装置１０は、パチンコ又は及びパチスロを備えるホールで使用され、不正遊技者が保持する体感器等の不正器具から出力される不正電波を探知するための不正電波探知装置で、図１に示すような携帯式のものであり、電源スイッチ兼用のボリューム１、モード切替スイッチ２、イヤホン３、アンテナ兼用のイヤホンのコード４、発光ダイオードからなる４個の表示灯５、そして、充電用のアダプタ６が備わっている。モード切替スイッチ２は、少なくとも第１モードと第２モードの二種類の切り替えが行えるようになっている。第１モードは、ホールの開店前にホール内の電源をパチンコ又は及びパチスロの電源を含めて投入した環境を示すものに割り当てられ、第２モードは、ホール開店後に客が入った環境を示すものに割り当てられている。
【００１６】
そして、本発明の実施形態に係るパチンコ・パチスロ用不正電波探知装置１０の電気的構成は、図２に示すように、主に、ホール内で電波を捕らえることが可能な受信部たるアンテナ（ここではイヤホン３のコード４がその機能を果たしている）と、該受信部が捕らえた電波の中から、不正遊技者が保持する体感器等の不正器具から出力されると予想した特定の周波数範囲に含まれる電波を選出する検波部（同調回路）１０１と、該検波部１０１が選出した電波の信号レべルを検出するレべル検出部１０２と、該レべル検出部１０２が検出した信号レべルを格納する記憶部（ＲＡＭ）１０３と、装置作動のプログラムが格納されたＲＯＭ１０４と、音声出力部１０５と、表示出力部１０６と、装置全体の制御を行うＣＰＵからなる制御部１００からなっている。
【００１７】
検波部１０１には、その数が特に限定されるものではないが、本実施形態では不正遊技者が保持する体感器等の不正器具から出力されると予想した特定の周波数範囲を検波するものとして、３つのもの、すなわち、低周波式体感器から出力されると予想される例えば、長波又は中波の周波数範囲を検波する低周波式用検波部１０１ａと、ソレノイド式体感器から出力されると予想される例えば、超短波の周波数範囲を検波するソレノイド式用検波部１０１ｂと、赤外線・フラッシュ式体感器から出力されると予想される例えば、極超短波の周波数範囲を検波する赤外線・フラッシュ式用検波部１０１ｃが備わっている。これにより、３つの特定の周波数範囲にあるものを同時に検波することができる。なお、特定の周波数範囲については、任意に設定することができる。
また、レベル検出部１０２にも検波部１０１に対応して、３つの低周波式用のレベル検出部１０２ａと、ソレノイド式用のレベル検出部１０２ｂと、赤外線・フラッシュ式用のレベル検出部１０２ｃが備わっている。
【００１８】
音声出力部１０５は、不正遊技者が保持する体感器等の不正器具から不正な電波が出力されていると判断された場合に、イヤホン３から音声（警報音）を出力するものであって、その音色は、低周波式体感器、ソレノイド式体感器、赤外線・フラッシュ式体感器毎に異なるようにされている。また、不正器具を保持する不正遊技者とパチンコ・パチスロ用不正電波探知装置１０との距離が近づくにしたがって音が大きくなるように設定されている。
また、表示出力部１０６は、不正遊技者が保持する体感器等の不正器具から不正な電波が出力されていると判断された場合に、表示灯５を点灯されるものであって、不正器具を保持する不正遊技者とパチンコ・パチスロ用不正電波探知装置１０との距離が近づくにしたがって点灯個数が多くなるように設定されている。
【００１９】
また、制御部１００は、モード切替スイッチ２が第１モードに切り替えられた状態の時にＲＡＭ１０３に格納された第１信号レベルと、モード切替スイッチ２が第２モード時に切り替えられた状態の時にＲＡＭ１０３に格納された第２信号レベルとを比較し、第２信号レベルから第１信号レべルを減算した値が所定値以上であると、音声出力部１０５及び表示出力部１０６（いずれか一方とすることも可能である）を介して警報を出力するようになっている。
【００２０】
次に、図３乃至図５を参照して制御部１００による処理内容について説明する。図３は、低周波式体感器を発見するための処理内容、図４は、ソレノイド式体感器を発見するための処理内容、そして、図５は、赤外線・フラッシュ式体感器を発見するための処理内容を示す。
低周波式体感器発見用処理では、まずフラグＦが０にセットされる（ステップ「Ｓ」３０１；「以下、括弧内ではステップという語を省略する」）。
【００２１】
次に、制御部１００は、モード切替スイッチ２によって入力されたモードが第１モードであるか否か判断し（３０２）、第１モードであればフラグＦが０であるか否か、すなわち、第１回目の検波か否かの判断を行う（３０３）。そして、フラグＦが０であれば、第１回目ではないことを示すように１をセットし（３０４）、低周波式用検波部１０１ａと低周波用のレベル検出部１０２ａを介して、低周波式体感器から出力されると予想される周波数範囲を検波して、そのときの信号レベルを検出し、信号レベルを読み込んでレジスタＭ1の値とし（３０５）、その値Ｍ1を第１信号レベルＭ0としてＲＡＭ１０３に格納する（３０６）。
そして、第１モードである限り、ステップ３０２に戻り、そのときのフラグＦは０ではないので、第２回目の検波が行われる。すなわち、低周波式用検波部１０１ａと低周波用のレベル検出部１０２ａを介して、低周波式体感器から出力されると予想される周波数範囲を検波して、そのときの信号レベルを検出し、信号レベルを読み込んでレジスタＭ1の値とし（３０７）、その値Ｍ1をＲＡＭ１０３に記憶されているＭ0と比較し（３０８）、Ｍ1の方がＭ0よりも大きければＭ0をＭ1の値に更新する（３０６）。Ｍ0には読み込まれた信号レベルのうち最大値が格納されることとなる。
【００２２】
次に、制御部１００は、モード切替スイッチ２によって入力されたモードが第２モードであるか否か判断し（３０９）、第２モードであれば、低周波式用検波部１０１ａと低周波用のレベル検出部１０２ａを介して、低周波式体感器から出力されると予想される周波数範囲を検波して、そのときの信号レベルを検出し、信号レベルを読み込んで第２信号レベルＭ2としてＲＡＭ１０３に格納する（３１０）。
そして、ＲＡＭ１０３に格納された第２信号レベルＭ2から第１信号レベルＭ0を減算し，その値が所定値ＴＡ以上であるか否かを判断し（３１１）、所定値ＴＡ以上であれば、音声出力部１０５と、表示出力部１０６を介してＡパターン、すなわち、低周波式体感器を使用した不正遊技者が存在することを示す警報を出力する（３１２）。
【００２３】
これにより、ホールの開店前にホール内の電源をパチンコ又は及びパチスロの電源を含めて投入した環境で、充電が完了したパチンコ・パチスロ用不正電波探知装置１０の電源をオンにし、しかもモード切替スイッチ２を第１モードにした状態で、店員が、パチンコ・パチスロ用不正電波探知装置１０を装着してパチンコ又は及びパチスロのおいてある各島の間をゆっくり隅々まで周ると、低周波式体感器から出力されると予想される周波数範囲が検波されそのときの信号レベルの最大値が第１信号レベルＭ0としてＲＡＭ１０３に自動的に格納されるようになっている。このときの第１信号レベルＭ0は低周波式体感器から出力されると予想される周波数範囲と同じ周波数範囲にある電波であり、その電波は各ホール固有のものでありノイズに相当するものである。
【００２４】
その後、ホール開店後に客が入った状態で、電源がオンにされたままの上述のパチンコ・パチスロ用不正電波探知装置１０のボリューム１を上げ、しかもモード切替スイッチ２を第１モードから第２モードに切替えた状態で、再度、店員が、パチンコ・パチスロ用不正電波探知装置１０を装着してパチンコ又は及びパチスロのおいてある各島の間を隅々まで周る。そのとき、低周波式体感器から出力されると予想される周波数範囲が検波されそのときの信号レベルが第２信号レベルＭ2としてＲＡＭ１０３に格納され、その第２信号レベルＭ2から第１モードのときに既にＲＡＭ１０３に格納された第１信号レベルＭ0を減算した値が所定値ＴＡ以上であれば、イヤホン３によってＡパターン、すなわち、低周波式体感器を使用した不正遊技者が存在することを示す警報が出力されるようになっている。また、不正遊技者との距離は表示灯５によって出力されるとともに、イヤホン３からの音声も強くなるようになっている。
【００２５】
これにより、イヤホン３や表示灯５からの出力がなければ、特に体感器等の不正器具を使用した不正遊技者はいないことがわかり、イヤホン３や表示灯５からの出力があれば、不正遊技者を特定し、発見することができる。
【００２６】
図３では、低周波式体感器を発見するための制御部１００の処理内容について説明したが、ソレノイド式体感器を発見するための処理内容は、図４に示すような処理となる。
すなわち、ソレノイド式体感器発見用処理では、まずフラグＳが０にセットされる（４０１）。そして、制御部１００は、モード切替スイッチ２によって入力されたモードが第１モードであるか否か判断し（４０２）、第１モードであればフラグＳが０であるか否かの判断を行う（４０３）。フラグＳが０であれば、１をセットし（４０４）、ソレノイド式用検波部１０１ｂとソレノイド用のレベル検出部１０２ｂを介して、ソレノイド式体感器から出力されると予想される周波数範囲を検波して、そのときの信号レベルを検出し、信号レベルを読み込んでレジスタＮ1の値とし（４０５）、その値Ｎ1を第１信号レベルＮ0としてＲＡＭ１０３に格納する（４０６）。
そして、第１モードである限り、ステップ４０２に戻り、そのときのフラグＳは０ではないので、第２回目の検波が行われる。すなわち、ソレノイド式用検波部１０１ｂとソレノイド用のレベル検出部１０２ｂを介して、ソレノイド式体感器から出力されると予想される周波数範囲を検波して、そのときの信号レベルを検出し、信号レベルを読み込んでレジスタＮ1の値とし（４０７）、その値Ｎ1をＲＡＭ１０３に記憶されているＮ0と比較し（４０８）、Ｎ1の方がＮ0よりも大きければＮ0をＮ1の値に更新する（４０６）。Ｎ0には読み込まれた信号レベルのうち最大値が格納されることとなる。
【００２７】
次に、制御部１００は、モード切替スイッチ２によって入力されたモードが第２モードであるか否か判断し（４０９）、第２モードであれば、ソレノイド式用検波部１０１ｂとソレノイド用のレベル検出部１０２ｂを介して、ソレノイド式体感器から出力されると予想される周波数範囲を検波して、そのときの信号レベルを検出し、信号レベルを読み込んで第２信号レベルＮ2としてＲＡＭ１０３に格納する（４１０）。
そして、ＲＡＭ１０３に格納された第２信号レベルＮ2から第１信号レベルＮ0を減算し，その値が所定値ＴＢ以上であるか否かを判断し（４１１）、所定値ＴＢ以上であれば、音声出力部１０５と、表示出力部１０６を介して上述したＡパターンとは異なる、Ｂパターン、すなわち、ソレノイド式体感器を使用した不正遊技者が存在することを示す警報を出力する（４１２）。
【００２８】
また、赤外線・フラッシュ式体感器を発見するための処理内容は、図５に示すような処理であり、その処理では、まずフラグＧが０にセットされる（５０１）。そして、制御部１００は、モード切替スイッチ２によって入力されたモードが第１モードであるか否か判断し（５０２）、第１モードであればフラグＧが０であるか否かの判断を行う（５０３）。フラグＧが０であれば、１をセットし（５０４）、赤外線・フラッシュ式用検波部１０１ｃと赤外線・フラッシュ用のレベル検出部１０２ｃを介して、赤外線・フラッシュ式体感器から出力されると予想される周波数範囲を検波して、そのときの信号レベルを検出し、信号レベルを読み込んでレジスタＰ1の値とし（５０５）、その値Ｐ1を第１信号レベルＰ0としてＲＡＭ１０３に格納する（５０６）。
そして、第１モードである限り、ステップ５０２に戻り、そのときのフラグＧは０ではないので、第２回目の検波が行われる。すなわち、赤外線・フラッシュ式用検波部１０１ｃと赤外線・フラッシュ用のレベル検出部１０２ｃを介して、赤外線・フラッシュ式体感器から出力されると予想される周波数範囲を検波して、そのときの信号レベルを検出し、信号レベルを読み込んでレジスタＰ1の値とし（５０７）、その値Ｐ1をＲＡＭ１０３に記憶されているＰ0と比較し（５０８）、Ｐ1の方がＰ0よりも大きければＰ0をＰ1の値に更新する（５０６）。Ｐ0には読み込まれた信号レベルのうち最大値が格納されることとなる。
【００２９】
次に、制御部１００は、モード切替スイッチ２によって入力されたモードが第２モードであるか否か判断し（５０９）、第２モードであれば、赤外線・フラッシュ式用検波部１０１ｃと赤外線・フラッシュ用のレベル検出部１０２ｃを介して、赤外線・フラッシュ式体感器から出力されると予想される周波数範囲を検波して、そのときの信号レベルを検出し、信号レベルを読み込んで第２信号レベルＰ2としてＲＡＭ１０３に格納する（５１０）。
そして、ＲＡＭ１０３に格納された第２信号レベルＰ2から第１信号レベルＰ0を減算し，その値が所定値ＴＣ以上であるか否かを判断し（５１１）、所定値ＴＣ以上であれば、音声出力部１０５と、表示出力部１０６を介して上述したＡ，Ｂパターンとは異なる、Ｃパターン、すなわち、赤外線・フラッシュ式体感器を使用した不正遊技者が存在することを示す警報を出力する（５１２）。
【００３０】
なお、本発明の実施形態では、一台のパチンコ・パチスロ用不正電波探知装置１０で、３つの特定の周波数範囲（低周波数式体感器発見用，ソレノイド式体感器発見用，赤外線・フラッシュ式体感器発見用）のものを発見可能にしたが、そのうち、一種類だけ、あるいは二種類だけにすることも可能である。また、特定の周波数範囲を異なるように設定したパチンコ・パチスロ用不正電波探知装置１０を３台設けるようにすることも可能である。
また本発明の実施形態に係るパチンコ・パチスロ用不正電波探知装置１０は、パチンコのみを備えるホール、パチスロのみを備えるホールでも有効に使用することができることはいうまでもない。
【図面の簡単な説明】
【００３１】
【図１】本発明の実施形態に係るパチンコ・パチスロ用不正電波探知装置を示す外観斜視図である。
【図２】本発明の実施形態に係るパチンコ・パチスロ用不正電波探知装置の電気的構成概要を示すブロック図である。
【図３】図２に示す制御部による低周波式体感器を発見するための処理内容を示すフローチャートである。
【図４】図２に示す制御部によるソレノイド式体感器を発見するための処理内容を示すフローチャートである。
【図５】図２に示す制御部による赤外線・フラッシュ式体感器を発見するための処理内容を示すフローチャートである。
【符号の説明】
【００３２】
１      ボリューム
２      モード切替スイッチ
３      イヤホン
４      コード
５      表示灯
６      アダプタ
１０      パチンコ・パチスロ用不正電波探知装置
１００      制御部（ＣＰＵ）
１０１      検波部（同調回路）
１０１ａ    低周波式用検波部
１０１ｂ    ソレノイド式用検波部
１０１ｃ    赤外線・フラッシュ式用検波部
１０２      レべル検出部
１０２ａ    低周波式用レベル検出部
１０２ｂ    ソレノイド式用レベル検出部
１０２ｃ    赤外線・フラッシュ式用レベル検出部
１０３      記憶部（ＲＡＭ）
１０４      ＲＯＭ
１０５      音声出力部
１０６      表示出力部
【図１】
2006095141.tif 000003
【図２】
2006095141.tif 000004
【図３】
2006095141.tif 000005
【図４】
2006095141.tif 000006
【図５】
2006095141.tif 000007